(57)【要約】【課題】  周囲の電子部品等にＥＭＩを生じさせたり、逆に周囲の電子部品等からＥＭＩを受けることがなく、また表示パネルの中央部等に近接した、赤外線検知ユニット設置位置から横方向に離れた人の手等を、良好に検知することができるようにすること。【解決手段】  液晶表示装置は、表示面２ａに近接する被検知体９を検知する赤外線検知ユニット６が左右両端に設けられた液晶表示パネル２と、表示面２ａ及び赤外線検知ユニット６を覆う透明部材１と、液晶表示パネル２を嵌め込むための開口３ａを有する枠体３と、液晶表示パネル２の反表示面２ｂの側に設けられたプラスチック等から成る保護部材５と、を有しており、赤外線検知ユニット６は、赤外線受光素子６ｂとそれよりも数が多い赤外線発光素子６ａを備えているとともに、赤外線発光素子６ａが表示面２ａの中心部の法線ｈ方向に向くように傾けて設置されている。【選択図】  図１
2015179054.tif 000002
【特許請求の範囲】
【請求項１】
表示面に近接する被検知体を検知する赤外線検知ユニットが左右両端に設けられた表示パネルと、前記表示面及び前記赤外線検知ユニットを覆う透明部材と、前記表示パネルを嵌め込むための開口を有する枠体と、前記表示パネルの反表示面の側に設けられた保護部材と、を有しており、前記赤外線検知ユニットは、赤外線受光素子とそれよりも数が多い赤外線発光素子を備えているとともに、前記赤外線発光素子が前記表示面の中心部の法線方向に向くように傾けて設置されている表示装置。
【請求項２】
前記赤外線検知ユニットは、前記赤外線発光素子と前記赤外線受光素子との間に仕切り壁が形成されている請求項１に記載の表示装置。
【請求項３】
前記仕切り壁は、その上端側が薄くなるように前記赤外線受光素子側の壁面が傾斜面とされている請求項２に記載の表示装置。
【請求項４】
前記仕切り壁は、その壁面に赤外線の反射層が形成されている請求項２または請求項３に記載の表示装置。
【発明の詳細な説明】
【技術分野】
【０００１】
本発明は、人の指等が近接したときに、画面表示を起動させる、表示面にアイコン、タッチボタン等の隠れた表示部を表示させる、あるいは静止画表示を動画表示に切り替えるといった表示駆動をするための近接センサを備えた表示装置に関するものである。
【背景技術】
【０００２】
従来、例えば自動車のナビゲーションシステム、タブレット端末、スマートフォン等に用いられる液晶表示装置（Liquid  Crystal  Display：ＬＣＤ）においては、ＬＣＤに備えられたタッチパネル等を操作するために人の指が表示画面に近接したときに、画面表示を起動させる、表示面にアイコン、タッチボタン等の隠れた表示部を表示させる、あるいは静止画表示を動画表示に切り替えるといった表示駆動をするための近接センサを設ける場合がある。この近接センサとしては、静電容量型センサ、インダクタンス型センサ等があるが、静電的な導電体である人の指等の近接を静電容量の変化として非接触で検知できる静電容量型センサが多く用いられている。
【０００３】
従来の近接センサを備えたＬＣＤの１例を図８に示す。図８はＬＣＤの主要部品を分解して示す平面図であり、ＬＣＤは、液晶表示パネル２２と、その液晶表示パネル２２の表示面を覆うガラス板等から成る透明部材２１と、液晶表示パネル２２の反表示面側に設置された平板状のバックライト２４と、そのバックライト２４の液晶表示パネル２２と反対側の主面に設置されたプラスチック等から成る保護部材２５と、を有している。そして、透明部材２１は、その視認者側の主面に液晶表示パネル２２の周囲を囲むように、アルミニウム（Ａｌ），銀等の金属、合金、ＩＴＯ（Indium  Tin  Oxide）等の透明導電体等の材料から成る導体線２６ｂから構成された静電容量型近接センサ２６が形成されている。図８において、２６ａは静電容量型近接センサ２６にパルス電流を供給する給電部、２３は液晶表示パネル２２を嵌め込んで位置を固定するための開口２３ａを有する、プラスチック等から成る枠体である。
【０００４】
図９は、図８に示す主要部品を組み立てて構成されたＬＣＤの横断面図である。図９に示すように、視認者側（図９で白抜き矢印で示す側）から、透明部材２１、液晶表示パネル２２、液晶表示パネル２２を嵌め込むための開口２３ａを有する枠体２３、バックライト２４、アルミニウム等から成る、バックライト２４の金属枠体２４ａと、保護部材２５が配置されている。金属枠体２４ａはフレーム２３に嵌めこみ、ネジ止め等の手段で固定され、保護部材２５は枠体２３にネジ止め等の手段で固定される。図９において、２７はバックライト２４の液晶表示パネル２２と反対側の主面に設けられたアルミニウム（Ａｌ）等から成る導体板である。
【０００５】
そして、図９ＬＣＤの静電容量型近接センサ２６は、例えば以下のように動作する。まず、導体線２６ｂに人の指等の外部の導電体が近接すると、導体線２６ｂと外部の導電体との間に静電的な容量結合が発生する。このとき、導体線２６ｂに新たな電気的容量が付加されるために、給電部２６ａに接続された外部の制御ＩＣ，ＬＳＩ等へ導体線２６ｂから反射してくる電流値（電荷量）が変化する。その変化した電流値を電圧値の変化として制御ＩＣ，ＬＳＩ等によって検知することによって、外部の導電体の近接を検知することができる。
【０００６】
また、ＬＣＤ等の表示装置の近接センサとして、赤外反射センサを用いた車載用電子機器操作装置が提案されている（特許文献１を参照）。この車載用電子機器操作装置は、赤外反射センサが表示パネルの左端側及び右端側に設けられている。
【先行技術文献】
【特許文献】
【０００７】
【特許文献１】特開２００７−２６１３３０号公報
【発明の概要】
【発明が解決しようとする課題】
【０００８】
しかしながら、図８、図９に示した上記従来のＬＣＤにおいては、導体線２６ｂを有する静電容量型近接センサ２６を用いているために、導体線２６ｂから放射された電磁波が周囲の電子部品、回路配線等にＥＭＩ（Electromagnetic  Interference：電磁気妨害）を生じさせるという問題点があった。また、逆に、周囲の電子部品、回路配線等から放射された電磁波が導体線２６ｂにＥＭＩを生じさせるという問題点もあった。
【０００９】
このようなＥＭＩの問題を解消できる近接センサとして、特許文献１に開示されているような赤外反射センサを用いた表示装置が知られている。しかしながら、特許文献１に開示されている車載用電子機器操作装置においては、赤外反射センサは、表示パネルと赤外反射センサとの間にあるダイアル操作部に人の手が近接することを検知するためのものであり、表示パネルに人の手が近接することを検知するものではない。即ち、赤外反射センサは、その設置位置から横方向に離れた人の手を検知するものではない。これは、赤外線が放射角度が６０°程度と大きく、拡散しやすいために、横方向に離れた人の手等に対する検出感度が低下しやすいという特性によるものと考えられる。
【００１０】
本発明は、上記に問題点に鑑みて完成されたものであり、その目的は、周囲の電子部品、回路配線等にＥＭＩを生じさせたり、逆に周囲の電子部品、回路配線等からＥＭＩを受けることのない近接センサを用いた表示装置とすること、また、表示パネルの中央部等に近接した、赤外線検知ユニット設置位置から横方向に離れた人の手等を、良好に検知することができる近接センサを用いた表示装置とすることである。
【課題を解決するための手段】
【００１１】
本発明の表示装置は、表示面に近接する被検知体を検知する赤外線検知ユニットが左右両端に設けられた表示パネルと、前記表示面及び前記赤外線検知ユニットを覆う透明部材と、前記表示パネルを嵌め込むための開口を有する枠体と、前記表示パネルの反表示面の側に設けられた保護部材と、を有しており、前記赤外線検知ユニットは、赤外線受光素子とそれよりも数が多い赤外線発光素子を備えているとともに、前記赤外線発光素子が前記表示面の中心部の法線方向に向くように傾けて設置されている構成である。
【００１２】
本発明の表示装置は、好ましくは、前記赤外線検知ユニットは、前記赤外線発光素子と前記赤外線受光素子との間に仕切り壁が形成されている。
【００１３】
また本発明の表示装置は、好ましくは、前記仕切り壁は、その上端側が薄くなるように前記赤外線受光素子側の壁面が傾斜面とされている。
【００１４】
また本発明の表示装置は、好ましくは、前記仕切り壁は、その壁面に赤外線の反射層が形成されている。
【発明の効果】
【００１５】
本発明の表示装置は、表示面に近接する被検知体を検知する赤外線検知ユニットが左右両端に設けられた表示パネルと、表示面及び赤外線検知ユニットを覆う透明部材と、表示パネルを嵌め込むための開口を有する枠体と、表示パネルの反表示面の側に設けられた保護部材と、を有しており、赤外線検知ユニットは、赤外線受光素子とそれよりも数が多い赤外線発光素子を備えているとともに、赤外線発光素子が表示面の中心部の法線方向に向くように傾けて設置されていることから、周囲の電子部品、回路配線等にＥＭＩを生じさせたり、逆に周囲の電子部品、回路配線等からＥＭＩを受けることがなく、また表示パネルの表示面の中央部等に近接した、赤外線検知ユニット設置位置から横方向に離れた人の手等の被検知体を、良好に検知することができる。
【００１６】
本発明の表示装置は、赤外線検知ユニットは、赤外線発光素子と赤外線受光素子との間に仕切り壁が形成されている場合、赤外線発光素子から放射された赤外線が赤外線受光素子に直接的に受光されることを抑えることができる。
【００１７】
また本発明の表示装置は、仕切り壁は、その上端側が薄くなるように赤外線受光素子側の壁面が傾斜面とされている場合、赤外線発光素子から放射された赤外線が赤外線受光素子に直接的に受光されることを抑えることができるとともに、赤外線受光素子に入射する赤外線の光量を増やすことができるので受光の感度が向上する。
【００１８】
また本発明の液晶表示装置は、仕切り壁は、その壁面に赤外線の反射層が形成されている場合、赤外線発光素子から放射された赤外線が赤外線受光素子に直接的に受光されることをより抑えることができるとともに、被検知体によって反射された赤外線を赤外線受光素子によって検知しやすくなる。
【図面の簡単な説明】
【００１９】
【図１】図１は、本発明の表示装置としての液晶表示装置について実施の形態の１例を示す図であり、液晶表示装置の主要部品を分解して示す平面図である。
【図２】図２は、図１に示す主要部品を組み立てて構成された液晶表示装置の横断面図である。
【図３】図３（ａ）〜（ｃ）は、本発明の液晶表示装置について実施の形態の他例を示す図であり、（ａ）は赤外線検知ユニットの正面図、（ｂ）は（ａ）のＡ方向から赤外線検知ユニットを見た下面図、（ｃ）は（ａ）のＢ方向から赤外線検知ユニットを見た側面図である。
【図４】図４（ａ）〜（ｃ）は、本発明の液晶表示装置について実施の形態の他例を示す図であり、（ａ）は赤外線検知ユニットの正面図、（ｂ）は（ａ）のＡ１方向から赤外線検知ユニットを見た下面図、（ｃ）は（ａ）のＢ１方向から赤外線検知ユニットを見た側面図である。
【図５】図５（ａ），（ｂ）は、本発明の液晶表示装置について実施の形態の他例を示す図であり、（ａ），（ｂ）はそれぞれ赤外線検知ユニットの側面図である。
【図６】図６（ａ），（ｂ）は、本発明の液晶表示装置について実施の形態の他例を示す図であり、（ａ），（ｂ）はそれぞれ赤外線検知ユニットの側面図である。
【図７】図７（ａ），（ｂ）は、本発明の液晶表示装置について実施の形態の他例を示す図であり、（ａ），（ｂ）はそれぞれ赤外線検知ユニットの側面図である。
【図８】図８は、従来の液晶表示装置の主要部品を分解して示す平面図である。
【図９】図９は、図８に示す主要部品を組み立てて構成された液晶表示装置の横断面図である。
【発明を実施するための形態】
【００２０】
以下、本発明の表示装置の実施の形態について、図面を参照しながら説明する。但し、以下で参照する各図は、本発明の表示装置を説明するための主要部を示している。従って、本発明の表示装置は、図に示されていない回路基板、配線導体、制御ＩＣ，ＬＳＩ等の周知の構成部材を備えていてもよい。
【００２１】
本発明の表示装置としての液晶表示装置（ＬＣＤ）は、図１、図２に示すように、表示面２ａに近接する人の指等の被検知体９を検知する赤外線検知ユニット６が左右両端に設けられた液晶表示パネル２と、表示面２ａ及び赤外線検知ユニット６を覆うガラス板、プラスチック板等から成る透明部材１と、液晶表示パネル２を嵌め込むための開口３ａを有するプラスチック等から成る枠体３と、液晶表示パネル２の反表示面２ｂの側に設けられたプラスチック等から成る保護部材５と、を有している。そして、赤外線検知ユニット６は、赤外線受光素子６ｂとそれよりも数が多い赤外線発光素子６ａを備えているとともに、赤外線発光素子６ａが表示面２ａの中心部の法線ｈ方向に向くように傾けて設置されている構成である。この構成により、周囲の電子部品、回路配線等にＥＭＩを生じさせたり、逆に周囲の電子部品、回路配線等からＥＭＩを受けることがなく、また液晶表示パネル２の表示面２ａの中央部等に近接した、赤外線検知ユニット６設置位置から横方向に離れた人の手等の被検知体９を、良好に検知することができる。
【００２２】
図１に示すように、赤外線検知ユニット６は赤外線受光素子６ｂとそれよりも数が多い赤外線発光素子６ａを備えている。これにより、赤外線発光素子６ａから放射された赤外線が、その放射角度が大きく広範囲に拡散しやすいために、検出感度が低下しやすいとしても、赤外線受光素子６ｂの検出感度が低下することを効果的に抑えることができる。また、赤外線受光素子６ｂの周りに、赤外線受光素子６ｂを中心とした対称的な配置で赤外線発光素子６ａが位置していることが好ましい。この場合、赤外線が空間に等方的に放射されやすくなり、検出感度の方向依存性を小さくすることができる。
【００２３】
図２に示すように、赤外線検知ユニット６は、赤外線発光素子６ａが液晶表示パネル２の表示面２ａの中心部の法線ｈ方向に向くように設置されている。表示面２ａの中心部は、表示面２ａの厳密な中心に限るものではなく、表示面２ａの上下方向に伸びる中心線であり、それを含む表示面２ａの垂面の方に向かって赤外線検知ユニット６が傾いていてもよい。また、表示面２ａの中心部は、表示面２ａの中心点を中心とする円形の領域であってその直径が表示面２ａの上下方向長さの１／３程度の長さである円形の領域であり、その中心を軸線とする円筒状空間領域の方向に向かって赤外線検知ユニット６が傾いていてもよい。なお、表示面２ａの中心点は、四角形の表示面２ａ及び液晶表示パネル２である場合、表示面２ａの２つの対角線の交点として定義できる。
【００２４】
赤外線検知ユニット６は、透明部材１によって覆われているが、透明部材１の赤外線検知ユニット６を覆っている部位は、赤外線を通すが可視光は通さない遮光層、遮光部材が設けられていることが好ましい。遮光層、遮光部材は、黒色、黒褐色、濃褐色、濃青色、濃紫色等の可視光を効率良く吸収する色合いのものがよい。また、透明部材１の表示面２ａに対応する部位は、可視光を通すために透明である。
【００２５】
また赤外線検知ユニット６は、例えば、液晶表示パネル２の反表示面の端部に取り付けられた張り出し部材８に、接着剤による接着、ネジ止め等の手段により設置されている。張り出し部材８は、液晶表示パネル２の反表示面２ｂに透明接着剤、高透明性接着剤転写テープ（Optically  Clear  Adhesive  Tape：ＯＣＡ）等の両面接着テープなどによって取り付けられる。また張り出し部材８は、プラスチック、アルミニウム（Ａｌ），銅（Ｃｕ），ステンレススチール，真鍮（Ｃｕ−Ｚｎ合金）等の金属及び合金、アルミナセラミック等のセラミックなどの材料から成る。また、張り出し部材８は、例えば、液晶表示パネル２の反表示面２ｂから張り出している部位が表示面２ａの中心部に向かって傾斜しており、その部位に赤外線検知ユニット６が設置されている。なお、図２において、７はバックライト４の液晶表示パネル２と反対側の主面に設けられたアルミニウム（Ａｌ）等から成る導体板である。
【００２６】
赤外線発光素子６ａの赤外線の放射方向は、放射軸（放射中心軸）Ａｃと表示面２ａ及び透明部材１の外側主面との成す角度θが１０°〜８０°が好ましく、より好ましくは３０°〜６０°（４５°±１５°）であることがよい。３０°未満では、表示面２ａから１０ｃｍ〜２０ｃｍ程度離れた被検知体９に対する検知感度が低下しやすくなる。６０°を超えると、表示面２ａの中央部からある程度（約１０ｃｍ以上）離れたところにある、赤外線検知ユニット６設置位置から横方向に離れた人の手等の被検知体９に対する検知感度が低下しやすくなる。
【００２７】
図３に示すように、赤外線検知ユニット６は、赤外線発光素子６ａと赤外線受光素子６ｂとの間に仕切り壁１１が形成されていることが好ましい。この場合、赤外線発光素子６ａから放射された赤外線が赤外線受光素子６ｂに直接的に受光されることを抑えることができる。仕切り壁１１は、プラスチック、アルミニウム（Ａｌ），銅（Ｃｕ），ステンレススチール，真鍮（Ｃｕ−Ｚｎ合金）等の金属及び合金、アルミナセラミック等のセラミックなどの材料から成る。また仕切り壁１１は、赤外線発光素子６ａ及び赤外線受光素子６ｂが搭載される回路基板等の基板１０上に、接着、ネジ止め等の手段によって設けられる。なお、基板１０は、配線導体、制御用ＩＣ，ＬＳＩ等の周知の電子部品を備えていてもよい。
【００２８】
図３（ａ）は、赤外線検知ユニット６の正面図であり、１個の赤外線受光素子６ｂを中心として、上下方向の対称的な位置に赤外線発光素子６ａが１個ずつ計２個設けられている。図３（ｂ）は、（ａ）のＡ方向から赤外線検知ユニット６を見た下面図である。図３（ｂ）に示すように、仕切り壁１１は、赤外線検知ユニット６が収容される空間の形状に合わせて、直角三角形状とされている。図３（ｃ）は、（ａ）のＢ方向から赤外線検知ユニット６を見た側面図である。図３（ｃ）に示すように、赤外線発光素子６ａから放射された赤外線のうち赤外線受光素子６ｂ方向に低い角度で放射された成分は、仕切り壁１１によって遮光されるために、赤外線受光素子６ｂに直接的に受光されることが効果的に抑えられる。
【００２９】
図４（ａ）〜（ｃ）は、本発明のＬＣＤについて実施の形態の他例を示す図であり、（ａ）は赤外線検知ユニット６１の正面図、（ｂ）は（ａ）のＡ１方向から赤外線検知ユニット６１を見た下面図、（ｃ）は（ａ）のＢ１方向から赤外線検知ユニット６１を見た側面図である。図４（ｃ）に示すように、赤外線発光素子６ａが表示面２ａの中心の法線ｈ方向により正確に向くように傾けた構成である。これにより、表示面２ａの中央部にある、赤外線検知ユニット６１設置位置から横方向に離れた人の手等の被検知体９を、より良好に検知することができる。赤外線発光素子６ａの基板１０ａに対する傾斜角度は３０°〜６０°程度がよい。３０°未満では上述した効果が向上しにくく、６０°を超えると仕切り壁１１による反射成分が大きくなりやすい。
【００３０】
図５（ａ），（ｂ）は、本発明のＬＣＤについて実施の形態の他例を示す図であり、（ａ），（ｂ）はそれぞれ赤外線検知ユニット６２，６３の側面図である。（ａ）の赤外線検知ユニット６２は、仕切り壁１２の上端側が薄くなるように赤外線受光素子６ｂ側の壁面が傾斜面とされている好適な構成である。この場合、赤外線発光素子６ａから放射された赤外線が赤外線受光素子６ｂに直接的に受光されることを抑えることができるとともに、赤外線受光素子６ｂに入射する赤外線の光量を増やすことができるので受光の感度が向上する。（ｂ）の赤外線検知ユニット６３は、仕切り壁１３の赤外線発光素子６ａ側の壁面及び赤外線受光素子６ｂ側の壁面の両方が傾斜面とされている好適な構成である。この場合、上述の効果に加えて、赤外線発光素子６ａから放射される赤外線をより前方へ向かわせることができる。
【００３１】
図６（ａ），（ｂ）は、本発明のＬＣＤについて実施の形態の他例を示す図であり、（ａ），（ｂ）はそれぞれ赤外線検知ユニット６４，６５の側面図である。（ａ）の赤外線検知ユニット６４は、仕切り壁１４の赤外線受光素子６ｂ側の壁面に赤外線の反射層１４ａが形成されている好適な構成である。この場合、赤外線発光素子６ａから放射された赤外線が赤外線受光素子６ｂに直接的に受光されることを抑えることができるとともに、赤外線受光素子６ｂの受光の感度を向上させることができる。またこの場合、仕切り壁１４の赤外線受光素子６ｂ側の壁面が傾斜面とされていてもよい。（ｂ）の赤外線検知ユニット６５は、仕切り壁１５の赤外線発光素子６ａ側の壁面及び赤外線受光素子６ｂ側の壁面に、赤外線の反射層１５ａ，１５ｂが形成されている好適な構成である。この場合、赤外線発光素子６ａから放射された赤外線が赤外線受光素子６ｂに直接的に受光されることをより抑えることができるとともに、被検知体９によって反射された赤外線を赤外線受光素子６ｂによって検知しやすくなる。反射層１４ａ，１５ａ，１５ｂは、アルミニウム（Ａｌ），銅（Ｃｕ），銀（Ａｇ）等の金属のめっき膜などから成る。またこの場合、仕切り壁１５の赤外線受光素子６ｂ側の壁面が傾斜面とされていてもよい。
【００３２】
図７（ａ），（ｂ）は、本発明のＬＣＤについて実施の形態の他例を示す図であり、（ａ），（ｂ）はそれぞれ赤外線検知ユニット６６，６７の側面図である。（ａ）の赤外線検知ユニット６６は、図６（ａ）の構成において基板１０上の赤外線発光素子６ａの外側（仕切り壁１４と反対側）に赤外線の反射壁１６が形成されている好適な構成である。反射壁１６の赤外線発光素子６ａ側の壁面に赤外線の反射層１６ａが形成されており、さらに、反射壁１６の高さが仕切り壁１４の高さよりも高い。これにより、赤外線発光素子６ａから放射された赤外線が赤外線受光素子６ｂに直接的に受光されることをより抑えることができるとともに、赤外線発光素子６ａから放射された赤外線を表示面２ａの中央部側により向かうようにすることができる。（ｂ）の赤外線検知ユニット６７は、（ａ）の構成において、赤外線受光素子６ｂ側の仕切り壁１５の赤外線発光素子６ａ側の壁面に赤外線の反射層１５ｂが形成されている好適な構成である。この場合、赤外線発光素子６ａから放射された赤外線が赤外線受光素子６ｂに直接的に受光されることをより抑えることができる。なお、１５ａは仕切り壁１５の赤外線受光素子６ｂ側の壁面に形成された赤外線の反射層である。
【００３３】
本発明のＬＣＤにおける赤外線発光素子６ａは、光波長が７００〜１０００ｎｍ程度の赤外線、より具体的には光波長が８５０〜９５０ｎｍ程度の赤外線を放射するものである。また、赤外線検知ユニットは、液晶表示パネル２の表示面２ａに人の指等が数１０ｃｍ程度以下の距離に近接した場合、例えば、画面表示を起動させる、表示面２ａにアイコン、タッチボタン、インジケータ等の隠れた表示部を表示させる、あるいは静止画表示を動画表示に切り替えるといった表示駆動をするための起動スイッチ等として用いられる。
【００３４】
本発明のＬＣＤは以下のようにして作製される。薄膜トランジスタ（Thin  Film  Transistor：ＴＦＴ）素子を含む画素電極部が多数形成されたガラス基板等から成るアレイ側基板と、カラーフィルタ及びブラックマトリクスが形成されたガラス基板等から成るカラーフィルタ側基板とを互いに対向させて、それらの基板を所定の間隔でもって貼り合わせ、それらの基板間に液晶を充填、封入させることによって作製される。また、一般的に、カラーフィルタ側基板は、ＴＦＴ素子及び画素電極に対向する側の主面（主面ａとする）の全面に、画素電極との間で液晶に印加する垂直電界を形成するための共通電極(基準電極)が形成されている。この共通電極は、ＩＰＳ（In-Plane  Switching）方式のＬＣＤの場合、アレイ側基板の画素電極部に画素電極と同じ面内に形成されることによって横電界を生じさせるものとなる。また共通電極は、ＦＦＳ（Fringe  Field  Switching）方式のＬＣＤの場合、アレイ側基板の画素電極部に画素電極の上方または下方に絶縁層を挟んで形成されることによって端部電界（Fringe  Field）を生じさせるものとなる。また、カラーフィルタ側基板の主面ａには、それぞれの画素に対応する赤（Ｒ）、緑（Ｇ）、青（Ｂ）のカラーフィルタが形成されており、それぞれの画素を通過する光が相互に干渉することを防ぐブラックマトリクスがカラーフィルタの外周を囲むように形成されている。
【００３５】
本発明のＬＣＤは、透過型ＬＣＤである場合、視認者側と反対側に、液晶表示パネル２に画像を形成するための透過光を、液晶表示パネル２の反表示面２ｂ側から入射するバックライト４が設けられている。また本発明のＬＣＤは、反射型ＬＣＤである場合、バックライト４は設けられていなくてもよい。このバックライト４には２つの方式がある。１つの方式は、発光素子としてのＬＥＤ（Light  Emitting  Diode）素子が液晶表示パネル２の画面の端に配置されているエッジライト方式である。このエッジライト方式においては、液晶表示パネル１の画面の端に配置されたＬＥＤ素子からの光を導光板によって画面全体に導いて均一に分散させる。エッジライト方式は、最大６０インチ程度までの画面において良好な光学的均一性を保持することができ、５〜１０ｍｍ程度の厚さのバックライト４が実現できる。
【００３６】
もう１つの方式は、直下型方式であり、液晶の画素の直下に多数のＬＥＤ素子を配置して、ＬＥＤ素子からの光を画素に直接入射させる方式である。この直下型方式は、それが適用される液晶表示パネル２の画面サイズに制限はなく、低消費電力、良好な熱放散性を有している。また、直下型方式は、エッジライト方式に比べてバックライト装置が厚くなる傾向があるが、１０ｍｍ程度以下の厚さに抑えることもできる。なお、ＬＥＤ素子の発光の駆動方法としては、一般にＰＷＭ（Pulse  Width  Modulation）方式によってパルス電流をＬＥＤ素子に入力する駆動方法が用いられる。
【００３７】
バックライト４は、アルミニウム等から成る金属枠体２４ａに嵌めこまれている。金属枠体４ａはフレーム３に嵌め込み、ネジ止め等の手段で固定され、保護部材５は枠体３にネジ止め等の手段で固定される。
【００３８】
なお、本発明の表示装置は、上記実施の形態に限定されるものではなく、適宜の設計的な変更、改良を含んでいてもよい。
【産業上の利用可能性】
【００３９】
本発明の表示装置は液晶表示装置（ＬＣＤ）に限られるものではなく、有機ＥＬ（Electro  Luminescence）装置、無機ＥＬ装置、ＦＥＤ（Field  Emitting  Display）、ＳＥＤ（Surface-conduction  Electron-emitter  Display）、ＧＬＶ（Grating  Light  Valve）装置、ＰＤＰ（Plasma  Display）装置、電子ペーパーディスプレイ装置、ＤＭＤ（Digital  micro  Mirror  Device）、圧電セラミックディスプレイなどの表示装置であってもよい。
【００４０】
本発明の表示装置は各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、ヘッドアップディスプレイ、デジタル表示式腕時計などがある。
【符号の説明】
【００４１】
１  透明部材
２  液晶表示パネル
３  枠体
４  バックライト
４ａ  金属枠体
５  保護部材
６  赤外線検知ユニット
６ａ  赤外線発光素子
６ｂ  赤外線受光素子
【図１】
2015179054.tif 000003
【図２】
2015179054.tif 000004
【図３】
2015179054.tif 000005
【図４】
2015179054.tif 000006
【図５】
2015179054.tif 000007
【図６】
2015179054.tif 000008
【図７】
2015179054.tif 000009
【図８】
2015179054.tif 000010
【図９】
2015179054.tif 000011